(57)【要約】【課題】通過セクションを通る物体の通過を検知するためのデバイスを提供する。【解決手段】このデバイスは、・少なくとも部分的に通過セクションを囲んでいる電気伝導ワイヤー（３）を備えているループタイプのアンテナ（２）と、・アンテナの伝導ワイヤーを流れる電流の量特性を測定するとともに測定信号を生成するための測定手段と、・通過セクションを通る物体の通過によって引き起こされる混乱によるアンテナの不整合を検出するために案出された測定信号を処理するための測定信号を処理するための手段とを備えている。【選択図】
2009527833.tif 000002
【特許請求の範囲】
【請求項１】
通過セクションを通る物体の通過を検知するためのデバイスであり、
・少なくとも部分的に通過セクションを囲んでいる電気伝導ワイヤー（３）を備えているループタイプのアンテナ（２）と、
・アンテナの伝導ワイヤーを流れる電流のパラメーター特性を測定するとともに測定信号を生成するための測定手段（１６）と、
・通過セクションを横切る個人などの電気的に不活性な物体の通過によって引き起こされる外乱によるアンテナの離調を検知するように設計された、測定信号を処理するための処理手段（１７）とを備えていることを特徴とする検知デバイス。
【請求項２】
測定手段によって測定された特性パラメーターが、通過セクションを横切る物体の通過によって引き起こされる外乱による反射電力または反射電圧（Ｖｒ）であることを特徴とする請求項１に記載の検知デバイス。
【請求項３】
処理手段（１７）が、通過セクションを横切る物体が個人かどうかを、測定信号の関数として決定するように設計されていることを特徴とする請求項１と２のいずれかひとつに記載の検知デバイス。
【請求項４】
処理手段が、通過セクションを横切る物体がＲＦＩＤ識別バッジを装着しているかどうかを、測定信号の関数として決定するように設計されていることを特徴とする請求項１〜３のいずれかひとつに記載の検知デバイス。
【請求項５】
処理手段（１７）が、ＲＦＩＤ識別バッジに付けられた識別コードを識別する手段を備えていることを特徴とする請求項４に記載の検知デバイス。
【請求項６】
処理手段が、測定信号の外乱の勾配（Ｖｐ）の値を検知する手段を備えていることを特徴とする請求項１〜３のいずれかひとつに記載の検知デバイス。
【請求項７】
検知手段が、勾配の値をしきい値（Ｖｐｓ１）と比較する手段を備えていることを特徴とする請求項６に記載の検知デバイス。
【請求項８】
アンテナが非閉ループタイプであることを特徴とする請求項１〜７のいずれかひとつに記載の検知デバイス。
【請求項９】
アンテナが閉ループタイプであることを特徴とする請求項１〜７のいずれかひとつに記載の検知デバイス。
【請求項１０】
アンテナが非閉ループタイプであり、処理手段が、物体が通過セクションを横切って通過する方向を決定する手段を備えており、これらの手段が、測定信号の非対称プロファイルを分析するように設計されていることを特徴とする請求項１〜７のいずれかひとつに記載の検知デバイス。
【請求項１１】
アンテナが、地面の上方に、実質的鉛直面に横たわる逆Ｕの全体形状を有しており、アンテナが電気的非対称性を有していることを特徴とする請求項１０に記載の検知デバイス。
【請求項１２】
アンテナが、地面の上方に、実質的鉛直面に横たわる逆Ｕの全体形状を有しており、アンテナが、通路に対して非対称に配置されていることを特徴とする請求項１０に記載の検知デバイス。
【請求項１３】
通過セクションを横切る物体の数を数える手段を備えていることを特徴とする請求項１〜１２のいずれかひとつに記載の検知デバイス。
【請求項１４】
測定手段が方向性結合器（１１）を備えていることを特徴とする請求項１〜１３のいずれかひとつに記載の検知デバイス。
【請求項１５】
このアンテナがインピーダンス整合同調アンテナであるとき、アンテナのインピーダンスに実質的に相当する値のインピーダンスを介して結合器のターミナルのいずれかひとつがアースされることを特徴とする請求項１４に記載の検知デバイス。
【請求項１６】
結合器がアンテナ同調ユニット（１２）の上流に配置されていることを特徴とする請求項１４と１５のいずれかひとつに記載の検知デバイス。
【発明の詳細な説明】
【技術分野】
【０００１】
本発明は、通過セクションを通る物体の通過を検知するためのデバイスに関する。
【背景技術】
【０００２】
与えられた地理的なゾーンへのアクセスは、通常、読み取り機へ差し込まれてゲートまたは回り木戸を開くアクセスバッジの手先の慎重な取り扱いによって管理される。
【０００３】
通常の処理では、この種のアクセス管理は数秒かかり、問題のゾーンへのアクセスを手に入れる個人の通常の進行を相当に遅くする。
【０００４】
さらに、この種のアクセス管理は、バッジが読み取り機内に正しく差し込まれることを要求し、したがって、バッジが注意深く取り扱われることを要求する。
【０００５】
加えて、この種のアクセス管理は、厄介なインフラストラクチャーと限定的で高価な電気機械の設備の使用を要する。
【０００６】
与えられた地理的なゾーンへのアクセスを管理することを容易にするために、無線周波数識別を使用するいわゆる「ハンズフリー」アクセス管理システム、または無線周波数識別システムによって検知することができるＲＦＩＤバッジの使用もまた知られている。
【０００７】
この種のアクセス管理は、ＲＦＩＤバッジの直接の目視や、それの特殊な取り扱いや、「ゲート」または「回り木戸」タイプの厄介な設備をいっさい要求しない。
【０００８】
その結果、ＲＦＩＤバッジの使用は、与えられた地理的なゾーンにアクセスする個人の通常の進行を遅くせず、この個人のための自由なアクセスレーンを残す。
【０００９】
しかしながら、この種のアクセス管理は、有効なバッジを装着していない個人の通過を検知することができない。
【００１０】
具体的には、この種のアクセス管理は、たとえば照光式または可聴指示器を使用している有効なＲＦＩＤバッジを装着した個人の通過を確認することができるだけであり、その目的は、認可された個人すなわち有効なＲＦＩＤバッジを装着した個人の通過を合図することである。
【００１１】
したがって、この種のアクセス管理を使用することによって、無許可の個人が与えられた地理的なゾーンへのアクセスを手に入れることが可能である。
【００１２】
特に、人が仕事を課したならば、たとえば、照光式または可聴指示器からの指示を監視することに従事している人が少しの間ぼんやりしていると、無許可の個人は、検知されることなくアクセス管理を通り抜け得る。
【００１３】
文献ＦＲ ２ ６３０ ２３８は、与えられたゾーン内への侵入者の通過を検知することができるケーブルを使用しているワイヤー監視デバイスを説明しており、それは、ケーブルを頭上や地下に配置したり、地面に横たえたりすることが可能である。しかしながら、この監視デバイスは、どのような手法によっても、ケーブルから遠く離れた物体の通過を検知することができない。その文献では、ケーブルは、負荷抵抗を介してそれらの端部が連結された、一方が他方の内側か一方が他方のそばで互いに非常に接近した二本のワイヤーの集まりを意味すると理解される。
【００１４】
文献ＥＰ １ ０５０ ８３９は、アンテナを備えている非接触カード読み取り機を説明している。しかしながら、この読み取り機は、電気的に不活性な物体を検知することができない。これは、それが、電子カードを装着した物体を検知することができるだけであるからである。加えて、その文献で説明されたデバイスは、アンテナから遠く離れた物体の通過を検知することができない。
【特許文献１】ＦＲ ２ ６３０ ２３８
【特許文献２】ＥＰ １ ０５０ ８３９
【発明の開示】
【００１５】
本発明は、これらの欠点を改善することを提示する。
【００１６】
したがって、本発明に内在する技術的問題は、単純な構造であり、通過セクションを横切る物体の通過をあまり遅くせず、同時に識別バッジの取り扱いを要求しない、通過セクションを横切る物体の通過を検知するためのデバイスを製造することである。
【００１７】
この目的のため、本発明は、通過セクションを通る物体の通過を検知するためのデバイスに関しており、
・少なくとも部分的に通過セクションを囲んでいる電気伝導ワイヤーを備えているループタイプのアンテナと、
・アンテナの伝導ワイヤーを流れる電流のパラメーター特性を測定するとともに測定信号を生成するための測定手段と、
・通過セクションを横切る個人などの電気的に不活性な物体の通過によって引き起こされる外乱によるアンテナの離調を検知するように設計された、測定信号を処理するための処理手段とを備えていることを特徴とする。
【００１８】
物体が通過セクションを横切って通過するとき、測定手段によって測定された特性パラメーターが修正される。これは、測定手段が特性パラメーターへのこの変更に相当する測定信号を生成することができることを意味する。次に、この測定信号は、通過セクションを横切る物体の通過によって引き起こされる外乱によるアンテナの離調を検知する処理手段によって処理される。
【００１９】
したがって、本発明による検知デバイスは、物体の通過を遅くすることなく、また識別バッジの操作を必要とすることなく、通過セクションを横切る物体の通過を検知することができる。
【００２０】
さらに、先行技術のデバイスと異なり、本発明による検知デバイスは、電気伝導ワイヤーへの直接の接近だけでなく、アンテナによって範囲が定められた通過セクションの全体にわたっても検知することができる。
【００２１】
アンテナが同調または離調されると言うとき、これはアンテナのインピーダンスが整合するまたは整合しないことを意味する。
【００２２】
好都合なことに、測定手段によって測定された特性パラメーターは、通過セクションを横切る物体の通過によって引き起こされる外乱による反射電力Ｐｒまたは反射電圧Ｖｒである。
【００２３】
本発明の別の特徴によれば、処理手段が、通過セクションを横切る物体が個人かどうかを、測定信号の関数として決定するように設計されている。
【００２４】
したがって、本発明による検知デバイスは、この個人の通過を遅くすることなく、また識別バッジの操作を必要とすることなく、通過セクションを横切る個人の通過を検知することができる。
【００２５】
好都合なことに、処理手段が、通過セクションを横切る物体がＲＦＩＤ識別バッジを装着しているかどうかを、測定信号の関数として決定するように設計されている。
【００２６】
好みで、処理手段が、ＲＦＩＤ識別バッジに付けられた識別コードを識別する手段を備えている。
【００２７】
本発明の別の特徴によれば、処理手段が、測定信号の外乱の勾配の値を検知する手段を備えている。
【００２８】
好都合なことに、検知手段が、勾配の値をしきい値と比較する手段を備えている。
【００２９】
本発明の別の特徴によれば、アンテナが非閉ループタイプである。
【００３０】
本発明の代替案によれば、アンテナが閉ループタイプである。
【００３１】
本発明のまた別の代替案によれば、アンテナが非閉ループタイプであり、処理手段が、物体が通過セクションを横切って通過する方向を決定する手段を備えており、これらの手段が、測定信号の非対称プロファイルを分析するように設計されている。
【００３２】
好都合なことに、アンテナが、地面の上方に、実質的鉛直面にある逆Ｕの全体形状を有しており、アンテナが電気的非対称を有している。
【００３３】
別の代替案によれば、アンテナが、地面の上方に、実質的鉛直面にある逆Ｕの全体形状を有しており、アンテナが通路に対して非対称に配置されている。
【００３４】
好都合なことに、検知デバイスが、通過セクションを横切る物体の数を数える手段を備えている。
【００３５】
好都合なことに、測定手段が方向性結合器を備えている。
【００３６】
本発明の別の特徴によれば、このアンテナがインピーダンス整合同調アンテナであるとき、アンテナのインピーダンスに実質的に相当する値のインピーダンスを介して結合器のターミナルのいずれかひとつがアースされる。
【００３７】
好都合なことに、結合器はアンテナ同調ユニットの上流に配置されている。
【００３８】
とにかく、本発明は、例を限定しないものとして、この検知デバイスの実施形態の多くの代替形態を描いた添付概要図面に関連した以下の説明の助けによって明白に理解されるであろう。
【発明を実施するための最良の形態】
【００３９】
図１は、通過セクションを横切る物体の通過を検知するためのデバイスを描いており、通過セクションがたとえばテーマパークの入口に相当すること可能である。
【００４０】
検知デバイスは、少なくとも部分的に通過セクションを囲んでいる電気伝導ワイヤー３を備えている非閉ループタイプのアンテナ２を備えている。アンテナは、通路４に対して横断して、地面の上方に、実質的鉛直面に横たわる逆Ｕの全体形状を有している。好みで、アンテナの最小の寸法は高さ２ｍ、幅５０ｃｍである。ループは単一の電気伝導ワイヤーから成る。
【００４１】
アンテナは水平中央部５と二つの垂直端部６および７とを備えており、水平中央部５は問題の通路を横切って配置され、各垂直端部６および７は通路４の二つの側の一方に位置している。
【００４２】
電気伝導ワイヤー３は、図に描かれていないが、門形フレームの形態の電気的絶縁固定支柱によって所定位置に保持されている。
【００４３】
検知デバイスはまた、アンテナの基部に配置され、まずワイヤー３の垂直端部６の下端に連結され、次に接続ケーブル１０を介してＲＦＩＤ読み取り機９に連結された電子インタフェースユニット８を備えている。
【００４４】
ワイヤー３の垂直端部７の下端が単純にフリーであることに注目すべきである。
【００４５】
検知デバイスはまた、通過セクションに沿って均一な磁界ゾーンを作るために使用される受動素子１３を備えている。
【００４６】
検知デバイスは、アンテナの伝導ワイヤーを流れる電流の特性パラメーターを測定するための測定手段１６をさらに備えている。
【００４７】
本発明の一つの特徴によれば、測定手段１６によって測定された特性パラメーターは反射電圧Ｖｒ（または回帰電圧）である。反射電圧Ｖｒは、通過セクションを横切る物体の通過によって引き起こされる外乱によるアンテナの離調を示す。
【００４８】
この反射電圧Ｖｒを測定するために、測定手段は、たとえば、図２に示される、アンテナ同調ユニット１２の上流に配置された方向性結合器１１を備えており、結合器１１および同調ユニット１２は電子インタフェースユニット８の中に位置している。
【００４９】
同調ユニットは、たとえば、文献ＦＲ ２ ８２８ ０１６で説明されている種類のものである。
【００５０】
結合器１１の第一のターミナルＢ１は読み取り機９に連結され、結合器の第二のターミナルＢ２は同調ユニット１２に連結され、結合器の第三と第四のターミナルＢ３とＢ４は、それぞれ、このアンテナがインピーダンス整合同調アンテナであるときにアンテナ２のインピーダンスに実質的に相当する値のインピーダンスＲ０を介して接地されている。
【００５１】
ターミナルＢ３の電圧Ｖ３は、このアンテナがインピーダンス整合同調アンテナであるときに、ターミナルＢ３とＢ４が、アンテナ２のインピーダンスに実質的に相当するインピーダンスに整合するときの反射電圧Ｖｒと等しい。
【００５２】
したがって、測定手段１６は、反射電圧Ｖｒの値に相当する電圧Ｖ３の値を測定し、反射電圧Ｖｒを示す測定信号を生成するように設計されている。
【００５３】
図３は、反射電圧Ｖｒを示す測定信号の曲線の見本を時間の関数として示している。
【００５４】
曲線Ｖｒ＝ｆ（時間）には二つの重要な特徴がある。
【００５５】
・第一に、Ｖｒの最大値：Ｖｒｍａｘであり、
・第二に、前の勾配の値：Ｖｐである。
【００５６】
図３に示した例の場合、商Ｖｒｍａｘ／Ｖｒ０はかなり低く、勾配Ｖｐはかなり小さい。この外乱が起きる時間の間は約一秒のオーダーであり、それは、３．６ｋｍ／ｈで歩いている個人が１ｍの距離をわたる走行時間に相当する。
【００５７】
値Ｖｒ０は、アンテナが同調されたとき、すなわち、通過セクションを横切るかそれに接近中の物体がないときの値Ｖｒに相当し、また、ｔ０は、物体が通過セクションを横切る瞬間に相当することに注目すべきである。
【００５８】
検知デバイスは、この測定信号を処理するための処理手段１７を備えており、これらの手段は、通過セクションを横切る物体の通過によって引き起こされる外乱によるアンテナの離調を検知するように設計されている。これらの処理手段は読み取り機９に収容されてよい。
【００５９】
測定信号処理手段１７は、値ＶｒをＶｒ０のそれと比較して、値Ｖｒが値Ｖｒ０と相違するときに通過セクションを横切る物体の通過を検知するように設計されている。
【００６０】
しかしながら、Ｖｒの変化は、まったく単純に通過セクションを横切る動物または物体によるかもしれない。
【００６１】
したがって、通過セクションを横切る個人の通過だけを検知することが望ましいとき、通過セクションを横切る物体が個人かどうかを、測定信号の関数として決定するように処理手段が設計されている必要がある。
【００６２】
そうするため、処理手段は、測定信号の前の勾配Ｖｐの値を検知する手段を備えている。これらの検知手段は、勾配の値をしきい値Ｖｐｓ１と比較する手段を備えている。
【００６３】
検知手段は、勾配の値がしきい値Ｖｐｓ１を超えるとき、通過セクションを横切る物体が個人であると決定する。
【００６４】
したがって、個人１４がアンテナ２によって定められた通過セクションを横切るとき、測定信号の前の勾配Ｖｐはしきい値Ｖｐｓ１を超える。この結果、測定信号処理手段は、アンテナの離調が通過セクションを横切る個人の通過によって引き起こされる外乱によることを検知する。
【００６５】
しかしながら、特に通過セクションがテーマパークの入口に相当するとき、通過セクションを横切る個人が、このセクションを横切ることを認められた個人かどうかを検知することが時々必要かもしれない。この場合、通過セクションを横切ることを認められたと思われる個人は、有効なＲＦＩＤ識別バッジを装着している個人である。
【００６６】
ＲＦＩＤ識別バッジを装着した個人が通過セクションを横切ることは、測定信号Ｖｒは、バッジを持たない個人が通過セクションを横切るときに得られる信号と相違することに注目すべきである。
【００６７】
その結果、電圧Ｖｒの測定はまた、通過セクションを横切る個人が、ＲＦＩＤ識別バッジを装着した個人かどうかを決定することを可能にする。
【００６８】
これをするため、処理手段はまた、ＲＦＩＤ識別バッジに付けられた識別コードを識別する手段を備えており、これらの手段はＲＦＩＤ読み取り機から成る。読み取り機は、ＲＦＩＤ識別バッジに付けられたコードが、有効なバッジの識別コードに相当するかどうかを決定する。
【００６９】
したがって、有効なＲＦＩＤ識別バッジを装着した個人が通過セクションを横切るとき、処理手段は、通過セクションを横切る物体が検知手段を介してＲＦＩＤ識別バッジを装着した個人であると決定し、ＲＦＩＤ識別バッジに付けられた識別コードを、識別手段を使用する有効なＲＦＩＤ識別バッジの識別コードに相当するものとして識別する。
【００７０】
この結果は、この種の処理手段を装着した検知デバイスが、有効なＲＦＩＤ識別バッジを装着した個人の通過セクションを横切る通過を検知することができることである。
【００７１】
アラーム手段を信号処理手段に組み合わせることが可能であり、これらは、識別バッジを装着していないか無効の識別バッジを装着した個人が横切っているという事実を合図することを意図している。
【００７２】
これらのアラーム手段は、たとえば、門形フレームの形態の電気的絶縁固定支柱に配置された、好都合なことに照光式または可聴指示器である。
【００７３】
本発明の実施形態の代替形態によれば、検知デバイスは、通過セクションを横切る個人の数を数える手段を備えており、数える手段は、測定信号処理手段と関連づけられている。したがって、通過セクションを横切る個人の正確な数を決定することが可能である。
【００７４】
非ループアンテナのワイヤー内の電流Ｉの分布が、このアンテナに沿って一定でないことに注目すべきである。
【００７５】
図５に示すように、電流Ｉの分布は、ワイヤー３の垂直端部７の辺りよりもワイヤー３の垂直端部６の辺りの方が高い。
【００７６】
電流Ｉの分布のこの変化の影響は、物体がワイヤー３の垂直端部６の近くにいるとき、彼は強い電流の近くにおり、アンテナの離調にほとんど影響を与えないということである。その結果、電圧Ｖｒを示す測定信号は弱い。
【００７７】
分布電流Ｉのこの変化はまた、物体がワイヤー３の垂直端部７に接近するとき、彼は弱い電流に接近しており、アンテナの離調に強い影響を及ぼすことを意味する。これは次に、電圧Ｖｒを示すより強い測定信号を生む。
【００７８】
図４は、通過セクションを横切る物体の方向を検知することができる検知デバイスの実施形態の別の代替形態を描いている。
【００７９】
実施形態のこの代替形態によれば、アンテナ２は通路４に対して非対称に配置されている点において図１で説明したものと相違している。
【００８０】
アンテナ２もまた、図５に示したものと同様の電流分布Ｉを有することに注目すべきである。
【００８１】
したがって、物体が図４に示す移動Ｓ２の方向に移動しているとき、彼は最初に垂直端部７に接近し、したがってアンテナの離調に強い影響を及ぼし、次に垂直端部６に接近して移動し、したがってアンテナの離調にほとんど影響を与えない。
【００８２】
これが意味することは、測定手段によって時間の関数として生成された反射電圧Ｖｒを示す測定信号が、図６の曲線Ｃ２に相当するということである。図４に示した線Ｌ０が図６に示した時間ｔ０に相当することに注目すべきである。
【００８３】
曲線Ｃ２は、
・険しい前の勾配Ｖｐ２と、
・急峻に達する高い最大値Ｖｒｍａｘと、
・より浅い勾配の曲線の減少とを有している。
【００８４】
物体が移動Ｓ１の方向に移動していると、図６に示すように、曲線Ｃ１が反転されることに注目すべきである。
【００８５】
本発明の実施形態のこの代替形態によれば、したがって、処理手段は、物体が通過セクションを横切る方向を決定する手段を備えており、これらの手段は、測定信号の非対称プロファイルを分析するように設計されている。
【００８６】
したがって、測定信号の前の勾配の値と、値Ｖｒｍａｘに達するまでに要する時間と、測定信号の後ろの勾配の値との関数として、移動の方向を決定する手段は、物体が通過セクションを横切る方向を決定する。
【００８７】
本発明の実施形態の別の形態（図７ａと７ｂに描かれている）によれば、アンテナ２が、電気的非対称であり、ドアのわき柱に配置される点においてのみ図１で説明したものと相違している。
【００８８】
図７ａと７ｂは、この個人がドアを、それを彼／彼女の前方に押すことによって開けているか、進行する前にそれを彼自身／彼女自身に向けて引っ張ることによって開けているかによる、通過セクションを横切る個人の移動の方向を示している。
【００８９】
したがって、測定手段は、移動の方向と個人の位置１，２，３とによって相違する二つのタイプの測定信号Ｖｒを生成する。測定信号は、図６で説明したものと同様な曲線となる。
【００９０】
これが意味することは、処理手段が、測定信号の非対称の関数として、個人が通過セクションを横切る方向を決定することができることである。
【００９１】
図８に描かれた本発明の実施形態の別の代替形態によれば、検知デバイスは、閉ループタイプのアンテナ１５を備えている。
【００９２】
この場合、ワイヤーに沿った電流の分布は実質的に一定である。その結果、測定手段によって生成される測定信号は、物体が通過セクションを横切る方向に依存しない。
【００９３】
その結果、アンテナが閉ループタイプであるとき、反射電圧Ｖｒを示す測定を使用して物体が通過セクションを横切る方向を決定することは可能ではない。
【００９４】
しかしながら、検知デバイスが閉ループタイプのアンテナを備えているとき、このアンテナは、それにもかかわらず、物体が通過セクションを横切っていることを検知し得る。
【００９５】
本発明の実施形態のこの代替形態によれば、アンテナ２は、側平面ＡＤＥＨとＢＣＦＧ中に丸い突出物の形態に構成された二つの垂直端部６と７を備えており、この目的は、二つの同時の磁界Ｈ１とＨ２を作り出すことである。
【００９６】
通路４は幅０．９ｍである一方、アンテナは高さ２．５ｍであることに注目すべきである。
【００９７】
個人が通路４に入り通過セクションを横切るとき、測定手段は測定信号を生成し、また処理手段は、測定信号の関数として、この個人がＲＦＩＤ識別バッジを装着しているかどうかを決定する。
【００９８】
この識別バッジが不準拠であるか欠落していると、処理手段によって分析された測定信号Ｖｒは、有効な識別バッジのない、個人の存在を単独で示す。この結果は、アラーム手段が、不許可の個人の通過を示すということである。
【００９９】
前述から明らかなように、本発明は、単純な構造であり、通過セクションを横切る物体の進行をあまり遅くせず、同時に識別バッジの操作を必要としない検知デバイスを提供することによって、既存のこの分野に大きな改良を提供する。
【０１００】
言うまでもなく、本発明は、例をあげて上に説明したこの検知デバイスの実施形態に限定されるものではなく、その代わり、その実施形態のすべての代替形態を包含する。したがって、処理手段は、有効なＲＦＩＤ識別バッジを装着した電気的に不活性な物体の通過セクションを通る通過を検知することも可能である。
【図面の簡単な説明】
【０１０１】
【図１】本発明による検知デバイスの実施形態の第一代替形態の透視図法の概要図である。
【図２】図１の検知デバイスに属する方向性結合器およびアンテナ同調ユニットの概要図である。
【図３】図１の検知デバイスによって生成された反射電圧信号を時間の関数として表わしている曲線である。
【図４】検知デバイスの実施形態の第二代替形態の概要斜視図である。
【図５】非閉ループタイプのアンテナのワイヤーに沿う電流の分布を表わしている曲線である。
【図６】図４の検知デバイスによって生成された二つの反射電圧信号を時間の関数として表わしている曲線である。
【図７ａ】検知デバイスの実施形態の第三代替形態の概要平面図である。
【図７ｂ】検知デバイスの実施形態の第三代替形態の概要平面図である。
【図８】検知デバイスの実施形態の第四代替形態の概要斜視図である。
【図１】
2009527833.tif 000003
【図２】
2009527833.tif 000004
【図３】
2009527833.tif 000005
【図４】
2009527833.tif 000006
【図５】
2009527833.tif 000007
【図６】
2009527833.tif 000008
【図７ａ】
2009527833.tif 000009
【図７ｂ】
2009527833.tif 000010
【図８】
2009527833.tif 000011
【国際調査報告】
2009527833.tif 000012
2009527833.tif 000013
2009527833.tif 000014
2009527833.tif 000015
2009527833.tif 000016
2009527833.tif 000017